(57)【要約】      （修正有）【課題】フィルタ内部に除菌性能を浸透させ、フィルタ内部の除菌を行い、加湿運転開始時および運転中の臭気を、抑制する除菌を少ない電力で行なうことができる加湿装置を提供する。【解決手段】除菌運転手段は、除菌手段１５のみを駆動して加湿体９の下流側から排気口４側までの空間に除菌物質を充満させ、トレー１０内の水に前記除菌物質をとけこませる除菌物質放出手段と、除菌手段１５の駆動と送風ファン１２の逆回転駆動をして加湿体９の内部へと前記除菌物質を浸透させる除菌物質浸透手段を備え、除菌運転時は、まず除菌物質放出手段を動作させて、次に前記除菌物質浸透手段を動作させて加湿体９の内部へと前記除菌物質を浸透させる加湿体９の除菌を行う。【選択図】図２
2015148422.tif 000002
【特許請求の範囲】
【請求項１】
空気を内部に吸い込む吸気口と、前記吸い込んだ空気を外部に排出する排気口とを有する本体ケースと、本体ケース内に設けられた加湿体と、加湿体に供給する水を入れるトレーと、前記吸い込んだ空気を、前記加湿体に接触させた後に、前記排気口から本体ケース外に排出する送風ファンと、前記加湿体から前記排気口までの送風通路に、除菌物質を発する除菌手段を設けるとともに、前記送風ファンと前記除菌手段を駆動して加湿運転をする加湿装置であって、前記送風ファンは、正逆回転可能な斜流ファンであって、前記送風ファンと前記除菌手段を駆動する制御部は、前記加湿運転と前記加湿体の除菌を行う除菌運転を切り替えて行うものであって、前記制御部は、加湿運転停止移行時に、加湿運転時間が所定の時間を越えたことを判別する運転時間判定手段と、
運転時間が所定の時間を越えたときに前記加湿体の除菌を行なう除菌運転手段を備え、前記除菌運転手段は、前記除菌手段のみを駆動して前記加湿体の下流側から前記排気口側までの空間に前記除菌物質を充満させ、前記トレー内の水に前記除菌物質をとけこませる除菌物質放出運転手段と、前記除菌手段の駆動と前記送風ファンの逆回転駆動をして前記加湿体の内部へと前記除菌物質を浸透させる除菌物質浸透手段を備え、前記除菌運転時は、まず前記除菌物質放出運転手段を動作させて、次に前記除菌物質浸透手段を動作させて前記加湿体の内部へと前記除菌物質を浸透させる前記加湿体の除菌を行う構成とした加湿装置。
【請求項２】
除菌運転時は、加湿運転は行わず、除菌手段を間欠運転することを特徴とする請求項１に記載の加湿装置。
【発明の詳細な説明】
【技術分野】
【０００１】
本発明は、加湿体から水分を蒸発させて加湿を行う加湿装置に関するものである。
【背景技術】
【０００２】
従来のこの種、加湿装置の構成は、以下のようになっていた。
【０００３】
すなわち、吸気口、排気口を有する本体ケースと、この本体ケース内に設けられた加湿体と、この加湿体に水を供給する水供給手段と、前記吸気口から本体ケース内に吸い込んだ空気を、前記加湿体に接触させた後に、排気口から本体ケース外に排出する送風ファンと、この送風ファンに接続された制御部とを備えた構成となっていた。
【０００４】
また、室内の空気を吸込口から吸い込み吹出口に送風する送風機と、本体の内部に水を貯留する水槽部と、前記水槽部の水を吸水し前記送風機の空気により水を気化する気化フィルタと、加湿運転を制御する制御部を備えた気化式加湿器において、前記気化フィルタの上流に放電ユニットを設け、前記制御部は前記放電ユニットを加湿運転と連動して間欠運転するものもある（例えば特許文献１を参照）。
【先行技術文献】
【特許文献】
【０００５】
【特許文献１】特開２００６−１５３３１６号公報
【発明の概要】
【発明が解決しようとする課題】
【０００６】
上記従来の加湿装置では、加湿運転時には、放電処理部で発生させた活性種を水面側へ供給しているので、気化フィルタの表面や水槽部内での雑菌の発生、増殖を抑制することは期待できる。
【０００７】
しかし、送風ファンを停止した状態では、気化フィルタは活性種が接触できる一方の面の除菌が中心となり、フィルタが厚みを持つ場合においてフィルタ内部の除菌も疎かになるものであった。
【０００８】
そこで、気化フィルタの一方の面から他方の面まで除菌する検討を行なった。その結果、気化フィルタの他方の面の除菌を行なうためには送風ファンの運転が必要不可欠であることが解った。しかし、この点に着目して送風ファンの運転を行うと、気化フィルタの一方の面の除菌が逆に疎かになることが解り、両方の面の除菌および気化フィルタの内部までの除菌を行なうことを目標にすると送風ファンの運転時間が長くなり非常に多くの電力を消費することが課題となった。
【０００９】
そこで、本発明は、フィルタ内部に除菌物質を浸透させ、フィルタ内部の除菌を行い、加湿運転開始時および運転中の臭気を、抑制する除菌を少ない電力で行なうことを目的とするものである。
【課題を解決するための手段】
【００１０】
そして、この目的を達成するために、本発明は、空気を内部に吸い込む吸気口と、前記吸い込んだ空気を外部に排出する排気口とを有する本体ケースと、本体ケース内に設けられた加湿体と、加湿体に供給する水を入れるトレーと、前記吸い込んだ空気を、前記加湿体に接触させた後に、前記排気口から本体ケース外に排出する送風ファンと、前記加湿体から前記排気口までの送風通路に、除菌物質を発する除菌手段を設けるとともに、前記送風ファンと前記除菌手段を駆動して加湿運転をする加湿装置であって、前記送風ファンは、正逆回転可能な斜流ファンであって、前記送風ファンと前記除菌手段を駆動する制御部は、前記加湿運転と前記加湿体の除菌を行う除菌運転を切り替えて行うものであって、前記制御部は、加湿運転停止移行時に、加湿運転時間が所定の時間を越えたことを判別する運転時間判定手段と、運転時間が所定の時間を越えたときに前記加湿体の除菌を行なう除菌運転手段を備え、前記除菌運転手段は、前記除菌手段のみを駆動して前記加湿体の下流側から前記排気口側までの空間に前記除菌物質を充満させ、前記トレー内の水に前記除菌物質をとけこませる除菌物質放出運転手段と、前記除菌手段の駆動と前記送風ファンの逆回転駆動をして前記加湿体の内部へと前記除菌物質を浸透させる除菌物質浸透手段を備え、前記除菌運転時は、まず前記除菌物質放出運転手段を動作させて、次に前記除菌物質浸透手段を動作させて前記加湿体の内部へと前記除菌物質を浸透させる前記加湿体の除菌を行う構成としたものであり、これにより初期の目的を達成するものである。
【発明の効果】
【００１１】
本発明によれば、空気を内部に吸い込む吸気口と、前記吸い込んだ空気を外部に排出する排気口とを有する本体ケースと、本体ケース内に設けられた加湿体と、加湿体に供給する水を入れるトレーと、前記吸い込んだ空気を、前記加湿体に接触させた後に、前記排気口から本体ケース外に排出する送風ファンと、前記加湿体から前記排気口までの送風通路に、除菌物質を発する除菌手段を設けるとともに、前記送風ファンと前記除菌手段を駆動して加湿運転をする加湿装置であって、前記送風ファンは、正逆回転可能な斜流ファンであって、前記送風ファンと前記除菌手段を駆動する制御部は、前記加湿運転と前記加湿体の除菌を行う除菌運転を切り替えて行うものであって、前記制御部は、加湿運転停止移行時に、加湿運転時間が所定の時間を越えたことを判別する運転時間判定手段と、運転時間が所定の時間を越えたときに前記加湿体の除菌を行なう除菌運転手段を備え、前記除菌運転手段は、前記除菌手段のみを駆動して前記加湿体の下流側から前記排気口側までの空間に前記除菌物質を充満させ、前記トレー内の水に前記除菌物質をとけこませる除菌物質放出運転手段と、前記除菌手段の駆動と前記送風ファンの逆回転駆動をして前記加湿体の内部へと前記除菌物質を浸透させる除菌物質浸透手段を備え、前記除菌運転時は、まず前記除菌物質放出運転手段を動作させて、次に前記除菌物質浸透手段を動作させて前記加湿体の内部へと前記除菌物質を浸透させる前記加湿体の除菌を行う構成としたことにより、加湿運転を停止させたときに、運転時間判定手段が、加湿運転の時間が所定に時間を越えたことを判別すると、まず除菌物質放出運転手段が除菌手段を加湿体の排気口側に除菌物質を充満させるまで駆動し、トレー水に除菌物質が溶け込みトレー水内の菌の繁殖を抑制することができ、次に、除菌物質浸透手段は除菌手段を駆動しながら送風ファンを逆回転させることで、充満した除菌物質を徐々にフィルタ内部にまで浸透させるため、除菌手段に比べて送風ファンを運転する時間を減らすことができ消費電力を抑えつつ、フィルタ内部の菌の繁殖も抑制することができ、次回運転開始時および運転中の臭気を抑制することができる。
【図面の簡単な説明】
【００１２】
【図１】本発明の実施の形態１の加湿装置の斜視図
【図２】同断面図
【図３】同制御ブロック図
【図４】同動作フローチャート
【図５】同断面図
【図６】本発明の実施の形態２の枠体の構成を示す図
【図７】同枠体の動作説明の図
【図８】本発明の実施の形態３の枠体の動作説明の図
【発明を実施するための形態】
【００１３】
本発明の請求項１記載の加湿装置は、空気を内部に吸い込む吸気口と、前記吸い込んだ空気を外部に排出する排気口とを有する本体ケースと、本体ケース内に設けられた加湿体と、加湿体に供給する水を入れるトレーと、前記吸い込んだ空気を、前記加湿体に接触させた後に、前記排気口から本体ケース外に排出する送風ファンと、前記加湿体から前記排気口までの送風通路に、除菌物質を発する除菌手段を設けるとともに、前記送風ファンと前記除菌手段を駆動して加湿運転をする加湿装置であって、前記送風ファンは、正逆回転可能な斜流ファンであって、前記送風ファンと前記除菌手段を駆動する制御部は、前記加湿運転と前記加湿体の除菌を行う除菌運転を切り替えて行うものであって、前記制御部は、加湿運転停止移行時に、加湿運転時間が所定の時間を越えたことを判別する運転時間判定手段と、運転時間が所定の時間を越えたときに前記加湿体の除菌を行なう除菌運転手段を備え、前記除菌運転手段は、前記除菌手段のみを駆動して前記加湿体の下流側から前記排気口側までの空間に前記除菌物質を充満させ、前記トレー内の水に前記除菌物質をとけこませる除菌物質放出運転手段と、前記除菌手段の駆動と前記送風ファンの逆回転駆動をして前記加湿体の内部へと前記除菌物質を浸透させる除菌物質浸透手段を備え、前記除菌運転時は、まず前記除菌物質放出運転手段を動作させて、次に前記除菌物質浸透手段を動作させて前記加湿体の内部へと前記除菌物質を浸透させる前記加湿体の除菌を行う構成としたものである。
【００１４】
これにより、加湿運転を停止させたときに、運転時間判定手段が、加湿運転の時間が所定に時間を越えたことを判別すると、まず除菌物質放出運転手段が除菌手段を駆動し、前記加湿体の下流側から前記排気口側までの空間に前記除菌物質を充満させるため、トレー水に除菌物質が溶け込みトレー水内の菌の繁殖を抑制することができ、次に、除菌物質浸透手段は除菌手段を駆動しながら送風ファンを逆回転させることで、充満した除菌物質を徐々にフィルタ内部にまで浸透させるため、除菌手段に比べて送風ファンを運転する時間を減らすことができ消費電力を抑えつつ、フィルタ内部の菌の繁殖も抑制することができ、次回運転開始時および運転中の臭気を抑制することができる。
【００１５】
また、請求項２記載の加湿装置は、除菌運転手段に間欠運転手段を備え、除菌運転時に加湿運転は行わず、除菌運転を間欠運転する構成を有する。
【００１６】
これにより、除菌運転手段は連続で駆動することがなくとも、少ない駆動時間で前記加湿体から前記排気口までの送風通路に前記除菌物質の濃度を高めることができ、消費電力を抑えつつ、トレー水に除菌物質を溶け込ませることとなり、トレー水の菌の繁殖を抑制し、次回運転開始時および運転中の臭気を抑制することができる。
【００１７】
以下、本発明の実施の形態について図面を参照しながら説明する。
【００１８】
（実施の形態１）
図１において、加湿装置１は、箱型の本体ケース２を有し、左側面と背面側には、図２に示す吸気口３、上面には、排気口４、操作部５、表示部６、水タンク７（水供給手段の一例）の装着口８が設けられている。
【００１９】
また、本体ケース２内には、図２のごとく、加湿体９が設けられている。
この加湿体９は、下部が、トレー１０内に配置され、上部は上方へと立ち上げられた構成となっている。
【００２０】
つまり、水タンク７内の水が、トレー１０内に定水位で供給され、その水を多孔性状態の加湿体９が上方へと吸い上げる構成となっている。
【００２１】
吸気口３から入った空気は、加湿体９の上流側から下流側を通り、排気口４へと流れる際に、加湿体９に少なくとも二方向、または四方を囲まれた空間９ａを通る構成となっている。空間９ａは、加湿体９の下流面側から排気口４まで繋がっており、送風を行わない際には、空気が充満する構造となっている。空間９ａは、加湿体９を立設した面と後述する送風通路１４の一部を形成する壁面とによって形成したものであっても良い。
【００２２】
また、トレー１０内には、渇水を検出する水位センサ１１が備えられている。
【００２３】
また、本体ケース２内において、加湿体９と排気口４間には、直流駆動の送風ファン１２を設けている。
【００２４】
この送風ファン１２は、例えば、外周に風洞１３を有する斜流ファンである。
【００２５】
本体ケース２内には、通常の加湿運転では、図２のごとく、吸気口３から本体ケース２内に吸い込んだ空気を、多孔性状態の加湿体９を通過させ、その後、送風ファン１２を経て排気口４へと送風し、これによって、加湿を行うように送風通路１４が形成されている。
【００２６】
さらに送風通路１４のうち加湿体９から排気口４までの通路には、加湿体９を通過した空気に除菌物質を含ませて排気口４から吐出させる除菌手段１５を設けている。
【００２７】
本実施の形態では、図２に示すように、送風ファン１２と加湿体９の間の空間に配置している。このような位置に配置することで、送風ファン１２の作用によって、排気口４側または加湿体９側へと除菌物質を容易に送り込むことができるからである。
【００２８】
また、加湿体９とトレー１０は、送風通路１４の最下部に配置されている。つまり、加湿体９の下流側は、送風通路１４の最下部で閉鎖された空間に面している。
【００２９】
また、本体ケース２内には送風ファン１２と除菌手段１５を駆動する制御部１６を備えている。図３に示すように、制御部１６には、操作部５、水位センサ１１が入力として接続されていて、表示部６、除菌手段１５、送風ファン１２が出力として接続されている。
【００３０】
また、図４のフローチャートに示すように、制御部１６の運転動作には、従来のように加湿を行う第一の運転モード１７と、所定時間ごとにトレー１０内の水と加湿体９の除菌を行なう第二の運転モード１８（清潔モード）を備えている。
【００３１】
また、第二の運転モード１８は、加湿運転を停止に移行させるときにそれまでの加湿運転時間が所定の時間を越えた場合に、除菌手段１５を作用させてトレー水に除菌物質を溶かし込み、更に送風ファン１２を駆動して加湿体９の内部に除菌物質を浸透させるものである。
【００３２】
また、第二の運転モード１８を実現するために、本実施の形態では、前記送風ファン１２は正逆回転可能とし、この送風ファン１２と除菌物質を発する除菌手段１５を駆動する制御部１６を備えている。さらに、制御部１６には、図３に示すように、加湿装置１が加湿運転停止へ移行する時に、それまでに累積の加湿運転時間が所定の時間を越えたことを判別する運転時間判定手段２０と、運転時間が所定の時間を越えたことを判別したときに加湿体９の除菌を行なう除菌運転手段２３を備えている。特に、除菌運転手段２３は、除菌手段１５のみを駆動して前記加湿体９の下流側から前記排気口４側までの空間に前記除菌物質を充満させる除菌物質放出手段２１と、除菌手段１５の駆動と送風ファン１２の逆回転駆動をして加湿体９の内部へ除菌物質を浸透させる除菌物質浸透手段２２を備えたものである。
【００３３】
上記構成において、操作部５で加湿運転を開始すると、図４に示すように、制御部１６は、運転モードを確認する。
【００３４】
まず、清潔モードボタン（図示せず）が押されていない場合、すなわち第一の運転モード１７である場合には、送風ファン１２を正転運転し、次に停止操作がされるまで運転を継続することとなる。
【００３５】
つまり、送風ファン１２が正転運転をすると、吸気口３から本体ケース２内に吸い込んだ空気を、多孔性状態の加湿体９を通過させる。このときに、この加湿体９が吸い上げた水を一部蒸発させ、その後、送風ファン１２を経て排気口４へと送風し、これによって、加湿を行うこととなる。
【００３６】
さらに、送風通路１４内の加湿体９から排気口４までの通路において除菌手段１５は、加湿体９を通過した空気に除菌物質を含ませることとなるので、排気口４から吐出させる加湿空気に除菌物質を含有させて、室内の空気環境を改善することができる。
【００３７】
図４に示すように、第一の運転モード１７では、加湿運転時間を積算タイマー１９でカウントしながら、また、水位センサ１１で、トレー１０内の水が渇水になっていないことを確認しながら加湿を行なうものである。
【００３８】
すなわち、加湿運転時間を計測しながら、運転をおこなうことと、渇水になると、表示部６に水切れであることを表示して、運転を停止することを行なうこととなる。
【００３９】
つまり、加湿性能が十分に得られない渇水状態で運転の継続をすることを防止することができる。
【００４０】
次に、清潔モードボタンが押された場合、すなわち第二の運転モード１８である場合には、送風ファン１２を正転運転し、次に停止操作または使用者が設定する運転タイマーによる運転時間が満了になるまで運転を継続することとなる。
【００４１】
つまり、第一の運転モード１７と同様に、送風ファン１２が正転運転をすると、吸気口３から本体ケース２内に吸い込んだ空気を、多孔性状態の加湿体９を通過させる。このときに、この加湿体９が吸い上げた水を一部蒸発させ、その後、送風ファン１２を経て排気口４へと送風し、これによって、加湿を行うこととなる。
【００４２】
さらに、送風通路１４内の加湿体９から排気口４までの通路において除菌手段１５は、加湿体９を通過した空気に除菌物質を含ませることとなるので、排気口４から吐出させる加湿空気に除菌物質を含有させて、室内の空気環境を改善することもできる。
【００４３】
図４に示すように、第二の運転モード１８では、運転時間を積算タイマー１９でカウントしながら、また、水位センサ１１で、トレー１０内の水が渇水になっていないことを確認しながら加湿を行なうものである。
【００４４】
そして、例えば、使用者が設定する運転タイマーによる運転時間が満了になると、運転停止に移行する前に、運転時間判定手段２０が、積算タイマー１９のカウントをもとに累積の加湿運転時間（ｔ）が所定の時間（例えば８時間）を越えたことを判別することになる。所定の時間を越えていなければ、そのまま運転を停止する。
【００４５】
所定の時間を越えた場合には、除菌運転手段２３は、まず除菌物質放出手段２１によって加湿体の排気口側に除菌物質を充満させ、次に除菌物質浸透手段２２によって加湿体９に除菌物質を浸透させるように除菌手段１５と送風ファン１２を制御することとなる。
【００４６】
すなわち、除菌運転手段２３は、除菌手段１５を、加湿体の排気口側の空間９ａに除菌物質を充満させるまで駆動した後、除菌手段１５を駆動したまま送風ファン１２を逆回転で駆動することとなる。
【００４７】
図５に示すように、除菌手段１５を一定時間駆動すると除菌物質は本体ケース２内に流れ込み、重力によって前記加湿体９の下流側（本明細書では、送風ファン１２を正転駆動した場合の空気の流れで定義する）から前記排気口側までの空間に前記除菌物質を充満することとなる。このとき、加湿体９の下流側の空間９ａでは表面全体に除菌物質を接触させることができ、さらに、トレー水に除菌物質が溶け込みトレー水内の菌の繁殖を抑制することがでるため、次回運転開始時および運転中の臭気を抑制することができる。
【００４８】
また、送風ファン１２が逆回転をすると斜流ファンは空気を逆の方向に流すこととなり、排気口４から本体ケース２内に空気が吸い込まれ、送風通路１４を逆方向に流れ、送風ファン１２を通過した空気には除菌手段１５によって、加湿体９の下流側の空間９ａに充満した除菌物質が加湿体９の内部へ浸透し、加湿体９を通過させ、吸気口３から排出することとなる。
【００４９】
そして、加湿体９内部の菌の繁殖を抑制することが可能となり、次回運転開始時および運転中の臭気を抑制することができる。
【００５０】
つまり、まず除菌手段１５を駆動することで加湿体９から排気口４までの送風通路１４、特に空間９ａに除菌物質を充満させて、除菌物質を加湿体９の表面に接触させ、同時に除菌物質が徐々に加湿体９内部へ浸透させて、その後送風ファン１２を逆回転駆動して除菌物質を加湿体９の上流側（本明細書では、送風ファン１２を正転駆動した場合の空気の流れで定義する）の面にまで到達させることで、除菌手段１５の駆動時間に比べて送風ファン１２を運転する時間を減らすとともに、最初から除菌手段１５送風ファン１２を同時に駆動した場合に比べて送風ファン１２の駆動時間を大幅に削減して、消費電力を抑えることができる。
【００５１】
ここで、送風ファン１２の風量は、正転時よりも少なくすることが好ましい。風量を少なくすることによって、加湿体９に除菌物質をより多く含ませることができる。
【００５２】
また、除菌運転手段２３駆動時は、加湿運転は行わず、除菌手段１５を間欠運転するための間欠運転手段２４を備える。
【００５３】
すなわち、本実施の形態のように、除菌手段１５の駆動を２時間行なった後、４時間休止することを３回行なうものである。このようにすると、例えば、生活者の一日の活動に合わせて、加湿運転を１日８時間行ったのち、不在または就寝時に除菌物質を加湿体９へ通過させて加湿体９の除菌を行なうことができる。例えば除菌手段１５の駆動２時間中に除菌手段１５のみの駆動を１．５時間行い、その後除菌手段１５を駆動した状態で送風ファン１２の逆回転を０．５時間行うことで加湿体９内部まで除菌物質を浸透させることができる。
【００５４】
これにより、除菌運転手段２３は連続で駆動することがなくとも、少ない駆動時間で前記加湿体９から前記排気口４までの送風通路１４に前記除菌物質の濃度を高めることができ、消費電力を抑えつつ、トレー水に除菌物質を溶け込ませることとなり、トレー水の菌の繁殖を抑制し、次回運転開始時および運転中の臭気を抑制することができる。
【００５５】
その結果、加湿装置１の運転開始時または運転中に発生する臭気の抑制をすることができる。本実施の形態では、第一の運転モード１７においても運転時間を積算タイマー１９でカウントしているので、第一の運転モード１７から第二の運転モード１８へ切り替えた場合にも加湿装置１の運転時間は累積され、適正なタイミングで、加湿体９の除菌を行なうことができる。
【００５６】
以上のように、制御部１６は、加湿運転停止移行時に、加湿運転時間が所定の時間を越えたことを判別する運転時間判定手段２０と、運転時間が所定の時間を越えたときに加湿体９に前記除菌物質を通過させる除菌運転手段２３を備えたので、加湿運転を停止させたときに、運転時間判定手段２０が、加湿運転時間が所定の時間を越えたことを判別すると、除菌運転手段２３が前記加湿体９の下流側から前記排気口４側までの空間に前記除菌物質を充満させる除菌物質放出手段２１と、加湿体９に除菌物質を浸透させる除菌物質浸透手段２２を含んだ除菌運転手段２３を駆動させることにより、加湿体９から排気口４までの送風通路１４に充満した除菌物質が加湿体９へ流れ、除菌物質が徐々に加湿体９内部へ浸透するため、除菌手段１５に比べて送風ファン１２を運転する時間を減らすことができ、消費電量を抑えつつ、加湿体９内部の除菌を行うことができ、菌の繁殖を抑制して、次回運転開始時および運転中の臭気を抑制することができる。
【００５７】
また、送風通路１４のうち加湿体９から排気口４までの通路に除菌手段１５を備えたので、加湿体９を通過した空気に除菌物質を含ませて排気口４から吐出させることもでき、また、除菌物質放出手段２１により、前記加湿体９の下流側から前記排気口４側までの空間に前記除菌物質を充満させることもでき、また、除菌運転手段２３を駆動させることにより、加湿体９内部へ除菌物質を浸透させることもできるので、一つの除菌手段１５で三つの使い方ができる。除菌手段１５の利用頻度を上げることができる。すなわち、除菌手段１５を有効に使うことができる。
【００５８】
（実施の形態２）
以上実施の形態１のように、本願の発明の基本部分について、説明をした。
【００５９】
実施の形態２では、加湿装置１の吸気口３には粉塵を除去するフィルタ２５を設けたものである。なお、理解を容易にするために、実施の形態１と同部分については、同一符号を付しその詳細な説明は省略する。
【００６０】
実施の形態１で説明したように、吸気口３は、加湿運転の時には本体ケース２内に空気を吸い込むものであるが、除菌物質を加湿体へ通過させる場合には、本体ケース２から空気を吹き出すことになる。すなわち、吸気口３にフィルタ２５を設けた場合には、空気の通り道を分離する必要がある。
【００６１】
そこで図６に示すように、フィルタ２５を備えた枠体２６は、上部から表側と裏側に交互に水平方向に長いスリット２７として表側スリット２８と裏側スリット２９を形成するように、表側スリット２８と裏側スリット２９の端部を繋ぐ遮蔽板３０を備えたものである。なお、表側スリット２８と裏側スリット２９というのは、枠体２６に厚みを設け、その表側と裏側のそれぞれの表面を示すものである。
【００６２】
さらに、表側スリット２８の間隔は、同表側スリット２８の高さに比べて大きくし、少なくとも隣り合った表側スリット２８間にフィルタ２５を配置している（表側スリット２８の外側にフィルタ２５を配置してもよい）。同様に、裏側スリット２９の間隔は、同裏側スリット２９の高さに比べて大きくしている。
【００６３】
このようにすることで、枠体２６の厚み部分では、遮蔽板３０によって空気が流れるこむ上流側は流路が開いていて下流側は流路を絞ることになる。すなわち、表側スリット２８は、本体ケース２の内側から外側に向かって、先細りの形状となっているので、本体ケース２内の空気を集めて吹き出しやすく、本体ケース２外から本体ケース２内に空気を入れにくい。同様に裏側スリット２９は、本体ケース２内に空気を入れやすく、本体ケース２内から空気を吹き出しにくい。つまり、枠体２６の厚み部分では空気の流れ方向に応じて空気の通り道を分離することができる。これにより、除菌物質を加湿体９へ通過させる場合にフィルタ２５が捕集した粉塵を噴出させてしまうことを防止することができる。
【００６４】
つまり、送風ファン１２を逆回転させて、排気口４から加湿体９、吸気口３へと空気を流したときに、フィルタ２５に捕集した塵埃を吹き飛ばすことなく、吸気口３から本体ケース２の外側へ空気を流すことが容易になるので、除菌物質が加湿体９を通過して、菌の繁殖を抑制して、次回運転開始時および運転中の臭気を抑制することができる。
【００６５】
（実施の形態３）
本実施の形態は、実施の形態２の別の実施の形態を説明する。
【００６６】
実施の形態２では、フィルタ２５を備えた枠体２６は、上部から表側と裏側に交互に水平方向に長いスリット２７として表側スリット２８と裏側スリット２９を形成するように、表側スリット２８と裏側スリット２９の端部を繋ぐ遮蔽板３０を備えたものであった。
【００６７】
本実施の形態では、図８に示すように、表側スリット２８は設けないようにしたものである。枠体２６は本体ケース２の内側では、隣り合った裏側スリット２９間は、遮蔽板３０が外側に向けて先細りになっていて先端が閉塞している。
【００６８】
また、枠体２６は、上部を水平方向に回転軸３１で軸支し、本体ケース２から外側に回動するようにしたものである。
【００６９】
このようにすることで、枠体２６厚み部分では、遮蔽板３０によって空気が流れ込む上流側は流路が開いていて下流側は流路を絞ることになる。裏側スリット２９は、本体ケース２内部に向かって先細りの形状となっているので、本体ケース２内に空気を入れやすく、本体ケース２内から外へ空気を吹き出しにくい。
【００７０】
一方、遮蔽板３０は、枠体２６の表側には、スリットがなく閉塞しているので、本体ケース２内から吹き出す空気は、遮蔽板３０によって集められ、枠体２６を外側へ押し出すこととなる。枠体２６は、回転軸３１によって軸支しているので、回転することで、本体ケース２との間に隙間を開けることとなる。このようにして、本体ケース２の外側へ空気を排出することができる。すなわち、除菌物質を加湿体９へ通過させる場合には、吸気口３に設けた枠体２６が回動して本体ケース２から空気を吹き出すことになる。
【００７１】
このように、枠体２６部分での空気の流れ方向に応じて空気の通り道を分離することができる。これにより、除菌物質を加湿体へ通過させる場合にフィルタ２５が捕集した粉塵を噴出させてしまうことを防止することができる。
【００７２】
つまり、送風ファン１２を逆回転させて、排気口４から加湿体９、吸気口３へと空気を流したときに、フィルタ２５に捕集した塵埃を吹き飛ばすことなく、吸気口３から本体ケース２の外側へ空気を流すことが容易になるので、除菌物質が加湿体９を通過して、菌の繁殖を抑制して、次回運転開始時および運転中の臭気を抑制することができる。
【産業上の利用可能性】
【００７３】
以上のように本発明は、本体ケース内の加湿体から排気口までの送風通路に、除菌手段を設けるとともに、加湿運転停止移行時に、加湿運転時間が所定の時間を越えたことを判別する運転時間判定手段と、運転時間が所定の時間を越えたときに、前記加湿体の下流側から前記排気口側までの空間に前記除菌物質を充満させる除菌運転手段を備えるため、トレー水に除菌物質が溶け込みトレー水内の菌の繁殖を抑制することができ、次に、除菌物質浸透手段は除菌手段を駆動しながら送風ファンを逆回転させることで、充満した除菌物質を徐々にフィルタ内部にまで浸透させるため、除菌手段に比べて送風ファンを運転する時間を減らすことができ消費電力を抑えつつ、フィルタ内部の菌の繁殖も抑制することができ、次回運転開始時および運転中の臭気を抑制することができる。
【００７４】
これにより、運転開始時および運転中の臭気発生を抑制することができるのである。したがって、加湿装置として活用される。
【符号の説明】
【００７５】
１  加湿装置
２  本体ケース
３  吸気口
４  排気口
５  操作部
６  表示部
７  水タンク
８  装着口
９  加湿体
９ａ    空間
１０  トレー
１１  水位センサ
１２  送風ファン
１３  風洞
１４  送風通路
１５  除菌手段
１６  制御部
１７  第一の運転モード
１８  第二の運転モード（清潔モード）
１９  積算タイマー
２０  運転時間判定手段
２１  除菌物質放出手段
２２  除菌物質浸透手段
２３  除菌運転手段
２４  間欠運転手段
２５  フィルタ
２６  枠体
２７  スリット
２８  表側スリット
２９  裏側スリット
３０  遮蔽板
３１  回転軸
【図１】
2015148422.tif 000003
【図２】
2015148422.tif 000004
【図３】
2015148422.tif 000005
【図４】
2015148422.tif 000006
【図５】
2015148422.tif 000007
【図６】
2015148422.tif 000008
【図７】
2015148422.tif 000009
【図８】
2015148422.tif 000010